(57)【特許請求の範囲】
【請求項１】
木製パネルを組み合わせたゲーム機用キャビネットにおいて、一方の木製パネルに挿入ネジ部と歯形付き円柱部を有する接続具を設け、該歯形付き円柱部を前記木製パネルの凹部に圧入嵌合させるとともに、他方の木製パネルには前記挿入ネジ部が嵌合する嵌合孔を設け、前記挿入ネジ部を嵌合孔に挿入して木製パネル同士を接合するものであって、前記挿入ネジ部には偏心した回動軸とその回動軸には斜行ネジ刃が設けられ、レバーを回動することにより、偏心した回動軸とそれに設けられた斜行ネジ刃とが回動して前記斜行ネジ刃が挿入ネジ部の外周より突出して対向する木製パネルの嵌合孔の壁面に食い込み奥に進行して、木製パネル相互を締め付けて接合することを特徴とする木製ゲーム機用キャビネット。
【発明の詳細な説明】
【０００１】
【発明の属する技術分野】
本発明は、木製のゲーム機用キャビネット、特に、木製パネル相互の接合する技術分野に属する。
【０００２】
【従来の技術】
従来、ゲーム機用キャビネットは、過酷な扱いを受けるため堅牢でなければならない。
そのため、金属製キャビネットも多いが圧型や射出成形型を必要とすることから量産には向いているが、多種少量の需要のあるゲーム機には採算が合わないことが多かった。
一方、木製のゲーム機用キャビネットは、型が不必要であることから、多種少量の生産には向いているが、反面、木製パネルの接合には堅牢な構造とするための特別の構造が必要であった。
例えば、普通、特開平9-1510号公報に記載されているように、木製パネルの結合手段としては、一方の木製パネルに隅木を設けて、他方のパネルを固定して結合する手段が用いられており、また、本発明者らが提案し特開平10-9232号公報に記載されているように、結合する木製パネルの巾の浅い溝を設けて他方のパネルを嵌合して木ネジ等で結合したりしていた。
これを図７を用いて説明すると、キャビネットの側面パネルaとキャスターbを有する底面パネルcとの結合は、堅牢な構造とするため側面パネルaやその他の各所に隅木dを設けて、隅木dは木ねじeと接着剤で固定し、この隅木dによって底面パネルcを側面パネルaに接着剤と木ねじeで強固に固定している。
【０００３】
【発明が解決しようとする課題】
ところで、前述したように、木製パネルを加工したゲーム機用キャビネットは堅牢な構造とするために、結合手段に隅木を設けなければならないが、隅木は結合する木製パネルの全てに設けなければならず、煩わしい作業で多大な手間暇を費さなければならないという問題点があった。
また、ゲーム機を改造をする際に、キャビネットの分解が困難で、ゲーム機を改造することも困難であるという問題点があった。
更に、ゲーム機を廃棄処分する場合には、近時は産業廃棄物は分別して廃棄しなければならないが、キャビネットの分解が困難であることから、分別廃棄処分に手間暇を費やすといった問題点があった。
【０００４】
本発明は、上記の問題点に鑑みてなされたもので、その課題は、木製ゲーム機用キャビネットの木製パネル相互の強固な結合が簡単にでき、組み立てと分解が容易であって、ゲーム機の改造や分別廃棄処分が簡単な木製ゲーム機用キャビネットを提供することにある。
【０００５】
【課題を解決するための手段】
上記の課題を解決するために、本発明は、木製パネルを組み合わせたゲーム機用キャビネットにおいて、一方の木製パネルに挿入ネジ部と歯形付き円柱部を有する接続具を設け、該歯形付き円柱部を前記木製パネルの凹部に圧入嵌合させるとともに、他方の木製パネルには前記挿入ネジ部が嵌合する嵌合孔を設け、前記挿入ネジ部を嵌合孔に挿入して木製パネル同士を接合するものであって、前記挿入ネジ部には偏心した回動軸とその回動軸には斜行ネジ刃が設けられ、レバーを回動することにより、偏心した回動軸とそれに設けられた斜行ネジ刃とが回動して前記斜行ネジ刃が挿入ネジ部の外周より突出して対向する木製パネルの嵌合孔の壁面に食い込み奥に進行して、木製パネル相互を締め付けて接合することを特徴とする木製ゲーム機用キャビネットである。
【０００６】
【発明の実施の形態】
以下、本発明の好適な木製ゲーム機用キャビネットの１実施例を図面に沿って説明する。
図１は、木製ゲーム機の全体を示すもので、キャビネット１は木製パネルの組み合わせからなり、対向する一対の側面パネル11a,11bが設けられ、この側面パネル11a,11bの間には、前面パネル12・操作パネル13・デスプレーパネル14・天井パネル15・背面パネル16・底面パネル17が設けられ、操作パネル13には操作機器２が配備され、デスプレーパネル14には液晶等のデスプレー3が固定され、底面パネル17の四隅には４個のキャスター4が設けられている。
【０００７】
ここで、図２は図１のＡ部分の拡大図であるが、キャビネット１の裏面の側面パネル11aと底面パネル17の結合について、図２から図６で説明するが、両パネルを接合具５を用いて接合する。
この接合具５による接合方法は、図３に示すように、この接合具５の本体の歯形の付いた本体円柱部52(図４)を、底面パネル17(一方の木製パネル)の本体円柱部52に合致した凹部171に圧入嵌合させるだけで固定させ、接合具５の挿入ネジ部53には偏心した回動軸とその回動軸には斜行ネジ刃532が設けられ、他方、側面パネル11a(他方の木製パネル)には接合具５の斜行ネジ刃532が付いた挿入ネジ部53が嵌合する嵌合孔111を設け、両パネルを矢印Ｂの方向から、挿入ネジ部53を嵌合孔111に挿入する。
そして、レバー511を回動することによって、偏芯した回動軸531が回動し、それとともに回動軸531に設けられた斜行ネジ刃532が、挿入ネジ部53の外周より突出して対向する木製パネルの嵌合孔111の壁面に食い込み、更に奥に進行して、木製パネル相互を締め付ける。
なお、側面パネル11bと前面パネル12との接合も、両パネルの適所に接合具５を用いて接合するが、より接合位置を正確にするため、前面パネル12の凸部122を設け、これに対応する溝部112やダボを側面パネル11bに設けて、両者を嵌合させて位置合わせを行っている。
【０００８】
この接合具５の特徴は、図４から図６に示すように、接合具５の一方の木製パネル17の側部から突出した挿入ネジ部53を他方の木製パネル11aの嵌合孔111に嵌合させて、操作部51のレバー511を90度回動させるだけで、ワンタッチで木製パネル17を木製パネル11aに締め付けるように確実に接合することであるが、この接合具５の詳細な構成を図に沿って説明する。
図３に示すように、接合具５の外側には操作部51が設けられ、操作部51には90度に立った状態と、図２及び図５に示すように、０度の倒れた状態に回動するレバー511が設けられており、このレバー511には一体で回動する回動軸531（挿入ネジ部53の)が設けられ、接合具５と一体の挿入ネジ部53には、偏心した回動軸531が回動するように設けられており、回動軸531の周面には３周した螺旋状の斜行ネジ刃532が設けられている。
そして、図５(d)の(2)に示すように、レバー511を90度立てた開の状態では斜行ネジ刃532は挿入ネジ部53の内径壁111a内に収まっているが、図５(d)の(2)に示すように、レバー511を0度に倒した閉の状態では斜行ネジ刃532は挿入ネジ部53の内径壁111aより突出して、斜行ネジ刃532は木製パネル11aの嵌合孔111の内径壁111a面に食い込み、さらに斜行ネジ刃532が壁面をスクリューネジのように嵌合孔111より奥に進行する。
すなわち、挿入ネジ部53は嵌合孔111に挿入され、図５(d)の(1)と(2)に示すように、挿入ネジ部53は接合具５と一体で回転しないから動かず、そのままの位置であるが、図５(d)の(1)の回動軸531とその斜行ネジ刃532が回動することにより、図５(d)の２の状態に変化し、回動により斜行ネジ刃532は挿入ネジ部53の内径壁111aより突出すようになる。
【０００９】
その手順を図５(a)から(c)によって説明すると、図５(a)に示すように、底面パネル17側の接合具５のレバー511を90度立てた開の状態で挿入ネジ部53を、図５(b)に示すように、木製パネル11a側の嵌合孔111に挿入し、図５(c)に示すように、木製パネル11a側の嵌合孔111に挿入し、レバー511を0度に倒した閉の状態にする。
この際、前述したように、斜行ネジ刃532は挿入ネジ部53の外周内に収まり図５(d)の(1)に示すように、挿入ネジ部53をルーズに嵌合しているが、レバー511を倒した状態では図５(d)の(2)に示すように、斜行ネジ刃532は挿入ネジ部53の外周より突出して、斜行ネジ刃532は木製パネル11aの嵌合孔111の壁面に食い込み、さらに斜行ネジ刃532が壁面をスクリューネジのようにより奥に進行し、結果として、木製パネル11aに17を締め付けるように確実に接合することになる。
また、場合によっては、改造や廃棄処分のために組み立てたキャビネット１を分解することも考えられるが、この場合には図６に示すように逆の操作をすればよく、レバー511を90度立てた開の状態にすれば、挿入ネジ部53の斜行ネジ刃532は木製パネル11aの嵌合孔111の内壁111a面の食い込みを解除し、簡単に挿入ネジ部53を嵌合孔111から抜くことができ、簡単に木製ゲーム機用キャビネットを解体することができる。
【００１０】
この接合手段は、図１における、結合具５を各木製パネル11a,b、12、13、14、15、16、17と接合部の適所に配備すればよく、ゲーム用キャビネット１として、レバー511を回動するだけのワンタッチで、キャビネット１の木製パネル相互を締め付け、木製パネルを同士を簡単に接合できることから、木製パネル相互の強固な結合が簡単にでき、十分な組み立て強度を得ることができ、組み立てと分解が容易となり、ゲーム機の改造や分別廃棄処分が簡単になる。
また、販売や据え付け時に、現地で簡単に組み立てられ、所謂ノックダウン方式を採用することができ、運搬が容易で保管場所も少なくて済む。
更に、本実施例においては、木製であることから型を要せず、部品加工と組み立てが金属製に比べて容易であることから多種少量生産が可能となる。
【００１１】
以上述べたように、従来工法のベニヤやMDFの木質系材料を活用した強度保証が出来る構造体には、自然木を活用した「隅木」を用い、接着剤を併用して強度と組立を保証しているが、本実施例の利点を纏めると次のようなものである。
▲１▼従来の隅木を利用するとケース内外に凹凸が生じて部品取り付けや運搬等に邪魔になり、部材加工が複雑になるが、結合具５を用いることによって、構造が極めて簡単になる。
▲２▼従来の隅木を利用した構造物を組立て時、構造部材に予め取り付ける作業が発生し組立工程が複雑になり、従って、作業者や工場の場所が多く必要となり労働生産性を悪くしているが、本実施例の結合具を用いれば最終組立工程で、結合具のレバーを回動して組立完了するので、従来の予備準備生産工程が省ける。
▲３▼本実施例に用いる接合具は、樹脂製部位とアルミ鋳物部位等に簡単に分別出来るので資源回収時に非常に便利であり、また、金具の構成材料の再利用が可能である。
▲４▼従来のゲーム機キャビネットは接着剤と隅木で組立てているため、ゲーム機キャビネットは簡単には分解が出来ないので完成品にて廃却処分する場合も多く、廃却処分費も膨大になるが、本実施例では、ゲーム機キャビネットの組立が非常に簡単になり、キャビネットを分解する時も簡単に行えるので廃棄処分等に材料を分別し、分解した状態で分別して廃棄処分が簡単となる。
▲５▼従来のゲーム機キャビネットは組立時強度を得る為に「隅木」と「接着剤」を利用しているので、焼却等の時に接着剤から有害ガスが発生する問題があるが、本実施例の結合具は接着剤は不要であり、材料を容易に分別収集かつ焼却出来るので有毒ガスや有害物質は発生しなく、また、金具の素材の再利用が可能となる。
▲６▼従来は隅木と接着剤で製作した製品は一部分の変更が困難で、通常、破棄して全て新しく生産し直しており、時間・費用・材料等の無駄が多く廃却量も増大するが、本実施例では結合具を用いているため、木製パネルの着脱が容易となり、操作パネル等の木製パネルのケースや取り付け部品の設計変更においても、一部分の変更が容易である。
▲７▼本実施例では、製造費及び部品費低減に繋がる。即ち、製造費は組立等が容易な為に労働生産性の向上や製造作業の合理化が達成出来るので総合的な製造原価の低減に繋がり、部品費についても従来の「隅木」に比べて結合具の金具は、接着剤や特殊ビスが不要であり大幅なコストダウンが期待できる。
【００１２】
なお、本発明の特徴を損うものでなければ、上記の実施例に限定されるものでないことは勿論である。例えば、接合具５は、ワンタッチで相互の木製パネルを締め付けるように確実に接合することができればネジ型でなくてもよく、接合具５の設けてある箇所は、木製パネル11と同じ模様のカバーをもうけて組立て後に接合具５を目立たなくしてもよく、接合具と接着剤を併用してもよい。
なお、本実施例でも木質パネルをベニヤ合板としたが、他の木質の木質系ＭＤＦや圧縮コルク材や、これらの組み合わせでもよく、操作パネル等の使用箇所によっては、接合具５や嵌合孔111が設けられる厚さであれば、合成樹脂製としてもよい。
【００１３】
【発明の効果】
以上説明したように、本発明によれば、木製パネル同士の接合部には接合具を設けて接合し、接合具は挿入ネジ部が設けられ、挿入ネジ部には偏心した回動軸とその回動軸には斜行ネジ刃が設けられ、レバーを回動することによって、斜行ネジ刃が嵌合ネジ部の外周より突出して対向する木製パネルの嵌合孔の壁面に食い込み奥に進行して、木製パネル相互を締め付けるので、レバーを回動するだけのワンタッチで、キャビネットの木製パネル相互を締め付けることができ、木製パネル同士を簡単に接合できることから、十分な組み立て強度を得ることができ、木製パネル相互の強固な結合が簡単にでき、かつ、組み立てと分解が容易となり、ゲーム機の改造や分別廃棄処分が簡単になるという効果が得られる。
また、販売先や据え付け現地でゲーム機を簡単に組み立てられ、或いは、所謂ノックダウン方式を採用することができ、運搬が容易で保管場所も少なくて済むという効果が得られる。
更に、木製であることから加工が金属製に比べて容易であることから多種少量生産が可能となるという幾多の効果が得られる。
【図面の簡単な説明】
【図１】本発明の好適な全体の外観斜視図である。
【図２】図１のＡ部分の木製ゲーム機用キャビネットの木製パネルの接合部分の部分拡大断面図である。
【図３】図２の接合前の木製パネルの接合部分の部分拡大断面図である。
【図４】図２の接合部分に使用する接合具単体のの斜視図である。
【図５】接合具の作動説明図であり、図５(a)は接合前の接合具のレバーを立てた状態の状態図、図５(b)は嵌合ネジ部を木製パネルの嵌合孔に挿入した状態図、図５(c)はレバー511を倒した接合状態を示した状態図、図５(d)の(1)はレバーが立った状態で斜行ネジ刃がフリーの状態、図５(d)の(2)はレバーを倒した状態で斜行ネジ刃が食い込んだ状態の状態図である。
【図６】木製ゲーム機用キャビネットを解体する場合の接合具の状態を示す状態図である。
【図７】従来の木製ゲーム機用キャビネットにおける、木製パネルの接合部分の斜視図である。
【符号の説明】
１…木製ゲーム機用キャビネット、11a,11b(11)…側面木製パネル、
111…嵌合孔、111a…内径壁、112…溝部、12…前面木製パネル、122…凸部、
13…操作パネル、14…デスプレーパネル、15…天井木製パネル、
16…背面木製パネル、17…底面木製パネル、171…凹部、
２…操作機器、３…ディスプレー、４…キャスター、
５…結合具、51…操作部、511…レバー、52…本体円柱部、53…挿入ネジ部、
531…回動軸、532…斜行ネジ刃、
【図１】
0003714664.tif 000002
【図２】
0003714664.tif 000003
【図３】
0003714664.tif 000004
【図４】
0003714664.tif 000005
【図５】
0003714664.tif 000006
【図６】
0003714664.tif 000007
【図７】
0003714664.tif 000008